(57)【要約】【課題】インクカートリッジ１２５を取り外すことができるタイミングを容易に予測させる。また、無駄な待ち時間を発生させない。【解決手段】インクを収容したインクカートリッジ１２５を装着されるカートリッジホルダ１２０と、カートリッジホルダ１２０に装着されたインクカートリッジ１２５に収容されたインクを加圧する加圧部１２９と、往復移動しつつ、加圧部１２９により加圧されたインクを供給されて被記録媒体１９１に向かって吐出する記録ヘッド１４３と、インクカートリッジ１２５を取り外す旨の指示を受けた場合に、当該インクカートリッジ１２５において加圧部１２９により発生した圧力が解消されるまでの間、表示状態を段階的に遷移させるインジケータ１２６とを備える。【選択図】図５
2009023174.tif 000002
【特許請求の範囲】
【請求項１】
インクを収容したインクカートリッジを装着されるカートリッジホルダと、
前記カートリッジホルダに装着されたインクカートリッジに収容されたインクを加圧する加圧部と、
往復移動しつつ、前記加圧部により加圧されたインクを供給されて被記録媒体に向かって吐出する記録ヘッドと、
インクカートリッジを前記カートリッジホルダから取り外す旨の指示を受けた場合に、当該インクカートリッジにおいて前記加圧部により発生した圧力が解消されるまでの間、表示状態を段階的に遷移させる表示部と
を備える記録装置。
【請求項２】
前記表示部は、インクカートリッジを取り外す旨の指示を受けた場合に、前記インクカートリッジの内部の圧力低下に応じて前記表示部の表示状態を遷移させる請求項１に記載の記録装置。
【請求項３】
前記インクカートリッジを取り外す旨の指示を受けた場合に、前記指示を受けた時点からの時間の経過に応じて前記表示部の表示状態を遷移させる請求項１に記載の記録装置。
【請求項４】
前記カートリッジホルダから前記インクカートリッジを取り外すことを禁止するホルダカバーを更に備え、
前記表示部は、前記インクカートリッジを取り外す旨の指示を受けてから前記ホルダカバーが開放されるまでの間に表示状態を遷移させる請求項１に記載の記録装置。
【請求項５】
液体を収容した液体カートリッジを装着されるカートリッジホルダと、
前記カートリッジホルダに装着された液体カートリッジに収容された液体を加圧する加圧部と、
往復移動しつつ、前記加圧部により加圧された液体を供給されて被記録媒体に向かって吐出する液体噴射ヘッドと、
液体カートリッジを前記カートリッジホルダから取り外す旨の指示を受けた場合に、当該液体カートリッジにおいて前記加圧部により発生した圧力が解消されるまでの間、表示状態を段階的に遷移させる表示部と
を備える液体噴射装置。
【発明の詳細な説明】
【技術分野】
【０００１】
本発明は、記録装置および液体噴射装置に関する。より詳細には、着脱できるインクカートリッジから供給されたインクを被記録媒体に向かって吐出することにより被記録媒体上に画像を形成する記録装置および液体噴射装置に関する。
【背景技術】
【０００２】
微細なノズルを備えた記録ヘッドからインク等の液体を吐出して被記録媒体に付着させるインクジェット式記録装置がある。この種の装置は、記録ヘッドを所定の主走査方向に往復させる一方、主走査方向に対して交差する搬送方向に被記録媒体を移動させる搬送部を備え、主走査および搬送を組み合わせることにより被記録媒体上の任意の領域に液体を付着させて画像を形成する。
【０００３】
この種の記録装置において、記録ヘッドが吐出するインクは、主走査方向の往復移動範囲は装置の仕様により決定され、１ｍを越える主走査幅を有してポスター等の大型の画像を記録できるものもある。一方、搬送方向については被記録媒体の長さは制限されない。そこで、長尺の被記録媒体を巻き重ねたロールを装填して、横断幕、懸垂幕等に長い画像を形成する記録装置もある。
【０００４】
大型の記録装置ではインクの消費も多く、記録ヘッドに供給するインクを収容したインクカートリッジも大型になる。このため、特に複数のインクを用いてカラー画像を記録する場合には、インクカートリッジ全体の寸法および重量も大きくなる。そこで、インクカートリッジは記録装置本体に固定されたインクホルダに保持して、記録ヘッドの走査に応じて変形する管路を介して記録ヘッドにインクを供給する構造がある。更に、長い管路を介してインクを供給する場合には、インクカートリッジの内部でインクを加圧することにより、円滑なインク供給が図られている。
【０００５】
下記の特許文献１には、上記のような構造を有するインクジェット式記録装置において、閉じることによりインクカートリッジの取り外しを禁止して、開くことにより加圧ポンプを停止させるカバー部材を設けることが記載される。これにより、カートリッジ内が加圧されたまま取り外されることがなく、取り外されたインクカートリッジから内圧によりインクが漏れることが防止される。
【０００６】
また、下記の特許文献２には、インクカートリッジを着脱する場合に開閉するカバーを備え、カバーを開いた場合に、インクカートリッジへの加圧流体の供給を遮断する機械的な構造を有する液体噴射装置が記載される。これにより、カバーを開くと加圧流体の供給が即座に遮断される。
【特許文献１】特開２００１−２１２９７１号公報
【特許文献２】特開２００７−０２１９７１号公報
【発明の開示】
【発明が解決しようとする課題】
【０００７】
しかしながら、前記のように加圧ポンプを停止して、あるいは加圧を遮断しても、インクカートリッジ内の圧力が大気圧と同等に低下するまでには時間がかかる。このため、カバーを開いて即座にインクカートリッジを取り外した場合、インクカートリッジからインクが漏れる場合があった。また、加圧を停止した後に低下するカートリッジの内圧を外部から知ることができないので、カートリッジを交換するまでに過剰な待ち時間が発生して記録装置の稼働効率を低下させる原因のひとつとなっていた。
【課題を解決するための手段】
【０００８】
そこで、上記課題を解決することを目的に、本発明の第１の形態として、インクを収容したインクカートリッジを装着されるカートリッジホルダと、カートリッジホルダに装着されたインクカートリッジに収容されたインクを加圧する加圧部と、往復移動しつつ、加圧部により加圧されたインクを供給されて被記録媒体に向かって吐出する記録ヘッドと、インクカートリッジをカートリッジホルダから取り外す旨の指示を受けた場合に、当該インクカートリッジにおいて加圧部により発生した圧力が解消されるまでの間、表示状態を段階的に遷移させる表示部とを備える記録装置が提供される。これにより、カートリッジホルダにおいてインクカートリッジの加圧が解消されつつあることが表示されるので、カートリッジを取り外す旨の指示が受け付けられたことをユーザに示すことができる。また、表示状態の段階的な遷移により、インク漏れを生じることなくインクカートリッジを取り外すことができるようになるまでの時間を予測させることができる。従って、ユーザが過剰に長く待ち時間をとることが防止される。
【０００９】
また、上記記録装置において、表示部は、インクカートリッジを取り外す旨の指示を受けた場合に、インクカートリッジの内部の圧力低下に応じて表示部の表示状態を遷移させてもよい。これにより、残留した加圧に起因するインクカートリッジからのインク漏れを確実に防止できる。
【００１０】
更に、上記記録装置において、インクカートリッジを取り外す旨の指示を受けた場合に、指示を受けた時点からの時間の経過に応じて表示部の表示状態を遷移させてもよい。これにより、簡単な回路装置を用いて前記した機能を有する記録装置を実現できる。
【００１１】
また更に、上記記録装置において、カートリッジホルダからインクカートリッジを取り外すことを禁止するホルダカバーを更に備え、表示部は、インクカートリッジを取り外す旨の指示を受けてからホルダカバーが開放されるまでの間に表示状態を遷移させてもよい。これにより、加圧の残留したインクカートリッジを取り外した場合に生じるインク漏れを、確実に防止することができる。
【００１２】
また、本発明の第２の形態として、液体を収容した液体カートリッジを装着されるカートリッジホルダと、カートリッジホルダに装着された液体カートリッジに収容された液体を加圧する加圧部と、往復移動しつつ、加圧部により加圧された液体を供給されて被記録媒体に向かって吐出する液体噴射ヘッドと、液体カートリッジをカートリッジホルダから取り外す旨の指示を受けた場合に、当該液体カートリッジにおいて加圧部により発生した圧力が解消されるまでの間、表示状態を段階的に遷移させる表示部とを備える液体噴射装置が提供される。これにより、液体噴射装置においても上記の効果を享受できる。
【００１３】
なお、上記の発明の概要は、本発明の必要な特徴の全てを列挙したものではない。また、これらの特徴群のサブコンビネーションも発明となり得る。
【発明を実施するための最良の形態】
【００１４】
以下、発明の実施の形態を通じて本発明を説明するが、以下の実施形態は特許請求の範囲にかかる発明を限定するものではない。また、実施の形態の中で説明されている特徴の組み合わせの全てが発明の解決手段に必須であるとは限らない。
【実施例１】
【００１５】
図１は、実施の形態に係るインクジェット式記録装置１００の斜視図である。同図に示すように、このインクジェット式記録装置１００は、長手方向が水平に配置された記録部１４０と、記録部１４０の端部に装着された筐体１１０と、記録部１４０の上側に装着された装填部１３０と、記録部１４０および筐体１１０を下方から支持する脚部１７０とを備える。
【００１６】
装填部１３０の内部には、長尺の被記録媒体１９１（図２参照）を巻き重ねたロールを含むロール組立体１９０が装填されるが、この図ではロール組立体１９０（図２参照）はロールカバー１３２に覆われる。記録部１４０は、トップカバー１４２およびフロントカバー１４４によりその内部機構が覆われている。記録部１４０の内部には後述する記録ヘッド１４３（図２参照）等が配置され、装填部１３０のロールからから引き出されて記録部１４０に給送された被記録媒体１９１に対してインクが吐出され、画像が形成される。
【００１７】
記録部１４０において画像を形成された被記録媒体は、記録部１４０の下方に形成された排出部１６０から外部に排出される。なお、脚部１７０は、排出部１６０を通過した被記録媒体１９１をスタックするスペースを形成する目的で装着される。
【００１８】
筐体１１０は、記録部１４０から退避した記録ヘッドが待機するホームポジションのスペースを形成すると共に、その下部に、カートリッジホルダ１２０を有する。カートリッジホルダ１２０には、その表面を覆うホルダカバー１２２の内側に、記録ヘッドに供給するインクを収容したインクカートリッジ１２５（図２参照）が装着される。
【００１９】
また、筐体１１０の上面には、操作パネル１８０が配置される。操作パネル１８０は、ユーザが操作する複数のスイッチ１８２の他、インクジェット式記録装置１００の動作状態を示す表示部１８４も含む。従って、ユーザは、操作パネル１８０およびカートリッジホルダ１２０が配置された側を前面として、この前面側からインクジェット式記録装置１００を操作する。
【００２０】
図２は、インクジェット式記録装置１００における被記録媒体１９１の内部機構２００における被記録媒体１９１の給送経路を示す模式的な断面図である。同図に示すように、給送経路は、装填部１３０内のロール組立体１９０から始まり、記録部１４０内を経て排出部１６０に至る。
【００２１】
装填部１３０においは、ロールカバー１３２の内部にはロール組立体１９０が装填される。ロール組立体１９０は、芯となる紙管１９２の外面に長尺の連続した被記録媒体１９１を巻き重ねて形成される。これにより、大判の被記録媒体１９１を取り扱い易くしている。更に、紙管１９２の内側には金属製のスピンドル部材１９４が挿通され、スピンドル部材１９４の両端が装填部１３０のスピンドル支持部１３６に支持される。なお、被記録媒体１９１は、紙の他、樹脂フィルム、テキスタイル製品等の場合もある。
【００２２】
記録部１４０には、被記録媒体１９１を給送する給送部１１１、被記録媒体１９１にインクを吐出する記録ヘッド１４３、記録ヘッド１４３を搭載したキャリッジ１４６、被記録媒体１９１を支持するプラテンプレート１５２等が配置される。給送部１１１は、図示していない給送モータにより回転駆動される給送駆動ローラ１１２と、給送駆動ローラ１１２に当接して連れ回される給送従動ローラ１１４とを含む。被記録媒体１９１は、給送駆動ローラ１１２および給送従動ローラ１１４の間に挟まれ、給送従動ローラ１１４により給送駆動ローラ１１２に押し付けられることにより、給送駆動ローラ１１２の回転に従ってロール組立体１９０から引き出される。
【００２３】
ロール組立体１９０から引き出されて給送部１１１を通過した被記録媒体１９１は、記録ヘッド１４３に対向する位置を通過する。このとき、被記録媒体１９１は、記録ヘッド１４３とは反対の側においてプラテンプレート１５２により支持される。これにより、プラテンプレート１５２上の被記録媒体１９１は、記録ヘッド１４３に対して一定の間隔をおいて位置決めされる。
【００２４】
プラテンプレート１５２の後方（図上右側）、つまり、被記録媒体１９１を支持する面と反対側には、図示していないファンユニットが配置され、図中に矢印Ａで示すように、プラテンプレート１５２から吸引した空気を排出ダクト１５９から外部へ排出する。これにより、プラテンプレート１５２の表面に負圧が形成されて、被記録媒体１９１がプラテンプレート１５２に吸いつけられる。従って、ロールに巻かれて巻き癖がついた場合も、プラテンプレート１５２上では被記録媒体１９１は平坦になる。
【００２５】
記録ヘッド１４３はキャリッジ１４６に搭載され、キャリッジ１４６は案内部材１４５から懸架される。案内部材１４５は、図４の紙面に垂直に、記録部１４０の略全幅にわたって延在して、キャリッジ１４６の往復移動を案内する。なお、記録ヘッド１４３が吐出するインクは、図示していないパイプを通じてインクカートリッジ１２５から供給される。従って、キャリッジ１４６にはインクカートリッジ１２５は搭載されず、キャリッジ１４６および記録ヘッド１４３の組立体が軽量になる。
【００２６】
図３は、カートリッジホルダ１２０の周囲を拡大して詳細に示す図である。同図に示すように、カートリッジホルダ１２０においてホルダカバー１２２が開かれると、その内部には装着された複数のインクカートリッジ１２５が現れる。インクカートリッジ１２５は個別に取り外して交換することができる。
【００２７】
なお、図示は省略したが、カートリッジホルダ１２０は、インクカートリッジ１２５をカートリッジホルダ１２０から出て行く方向に付勢する弾性部材と、装着されたインクカートリッジ１２５が更に押し込まれた場合にはずれるラッチとを備える。これにより、装着された状態から押し込まれたインクカートリッジ１２５は、隣接する他のインクカートリッジ１２５から突出して、単独で引き抜くことができるようになる。
【００２８】
また、ホルダカバー１２２の表面は、閉じた状態では筐体１１０の表面と連続した面をなす。従って、閉じた状態では、ユーザはホルダカバー１２２を開くことができない。そこで、このカートリッジホルダ１２０は、ホルダカバー１２２の開放を指示する指示ボタン１２４およびインジケータ１２６を、ホルダカバー１２２の直上に備える。
【００２９】
また、図示は省略したが、カートリッジホルダ１２０は、指示ボタン１２４が押された場合に、ホルダカバー１２２をわずかに開くアクチュエータを備える。これにより、ユーザは、ホルダカバー１２２の上縁に指をかけてホルダカバー１２２を開くことができる。インジケータ１２６の動作については後述する。
【００３０】
図４は、インクジェット式記録装置１００の内部機構２００において、カートリッジホルダ１２０に装着されたインクカートリッジ１２５から記録ヘッド１４３へのインクの供給経路の一部を示す図である。同図に示すように、プラテンプレート１５２の直上には、記録部１４０の全幅にわたって案内部材１４５が配置される。記録ヘッド１４３を搭載したキャリッジ１４６は、案内部材１４５に沿って往復移動する。
【００３１】
ここで、キャリッジ１４６に搭載された記録ヘッド１４３には、インクと駆動信号が供給される。このため、キャリッジ１４６には、フラットチューブ１４７およびフラットケーブル１４９の一端が結合される。キャリッジ１４６から出たフラットチューブ１４７およびフラットケーブル１４９は、下方に屈曲して折り返した後、記録部フレーム１４１に沿って延在して、やがて、記録部フレーム１４１の下に入り込む。フラットチューブ１４７の他端は、カートリッジホルダ１２０に収容されたインクカートリッジ１２５に連通する。なお、フラットケーブル１４９の他端も、インクジェット式記録装置１００の内部回路（不図示）に結合される。
【００３２】
また、フラットチューブ１４７およびフラットケーブル１４９は、クランプ部材１３９により相互に結束されて一体化されて管路／線路組立体を形成する。管路／線路組立体を形成したフラットチューブ１４７およびフラットケーブル１４９は、記録部フレーム１４１の上面に対して固定されておらず、キャリッジ１４６が移動した場合に、その屈曲部を移動させてキャリッジ１４６に追従する。なお、図３に示す状態では、キャリッジ１４６は案内部材１４５右端のホームポジションに位置している。
【００３３】
上記のように、カートリッジホルダ１２０に装着されたインクカートリッジ１２５に収容されたインクは、長いフラットチューブ１４７を介してキャリッジ１４６に搭載された記録ヘッド１４３に供給される。このため、カートリッジホルダ１２０に装着されたインクカートリッジ１２５の内部は加圧され、インクが圧送される。
【００３４】
換言すれば、カートリッジホルダ１２０からインクカートリッジ１２５を取り外す場合、インクカートリッジ１２５の内部が加圧されたままである場合は、取り外したインクカートリッジ１２５から残ったインクが噴出する場合がある。そこで、カートリッジホルダ１２０からインクカートリッジ１２５を取り外す場合は、指示ボタン１２４を押したときに加圧を停止して、更に、インクカートリッジ１２５の内圧が下がった後に、インクカートリッジ１２５を抜く操作をする。なお、指示ボタン１２４が押されない場合に、ホルダカバー１２２の開放を禁止するロック機構を更に設けてもよい。
【００３５】
図５は、インジケータ１２６の光学系を、インクジェット式記録装置１００の内側から外側に向かってから見た様子を示す斜視図である。同図に示すように、インジケータ１２６は、共通のカバー２１０の裏面に、互いに独立した複数の導波板２２０を備える。導波板２２０は、透明な樹脂またはガラスにより形成され、一端から注入された光を他端から出射させる。
【００３６】
導波板２２０相互の間は、不透明な隔壁２２２により光学的に遮断される。また、図６を参照して後述するように、導波板２２０の各々の背後には、それぞれ発光素子２３０が配置される。これにより、カバー２１０の外側から見た場合に互いに独立して明滅する複数の輝点を、カバー２１０に表示させることができる。
【００３７】
図６は、図５に示したインジケータ１２６の構造を示す断面図である。同図に示すように、カバー２１０に収容された導波板２２０の後端は、リアカバー２５０により支持される。また、リアカバー２５０の更に後方に配置されたサブ基板２４０上には、導波板２２０の端面に出射光を注入する、発光ダイオード等の発光素子２３０が配置される。更に、カバー２１０の導波板２２０に対向する面には、入射光を拡散させる拡散フィルム２６０が貼付される。
【００３８】
導波板２２０は、その出射側に傾斜面２２９を有する。また、傾斜面２２９の表面は、シボ模様を有する形状に成形される。これにより、発光素子２３０から出射されて導波板２２０に注入された導波光の一部は、傾斜面２２９から出射される。更に、導波板２２０から出射された導波光は、拡散フィルム２６０を介して、カバー２１０から外部に放射される。
【００３９】
図７は、図５および図６に示した構造を有するインジケータ１２６のひとつが点灯した様子を、カバー２１０の表側から見た様子を示す図である。同図に示すように、一部に傾斜面２２９が形成された導波板２２０、導波板２２０の傾斜面に形成されたシボ形状および拡散フィルム２６０を組み合わせることにより、カバー２１０の表面では、下端から上端に沿って輝度が連続的に変化する輝点が表示される。これにより、インジケータ１２６に対する視野角が広くなり、ユーザがインクジェット式記録装置１００の正面にいない場合も、インジケータ１２６の表示を視認できる。
【００４０】
図８は、図５に示したインジケータ１２６の動作を制御する制御機構３００の構造を模式的に示す図である。同図に示すように、インクジェット式記録装置１００は、各部の動作を制御する制御部３４０を備える。ここで、カートリッジホルダ１２０に関して、制御部３４０は、ホルダカバー１２２の開閉を制御する開放機構３１０の動作状態、前記したインジケータ１２６の点灯状態を制御する。また、制御部３４０は、カートリッジホルダ１２０に装着されたインクカートリッジ１２５の内部を加圧する加圧部１２９の動作も制御する。
【００４１】
更に、制御部３４０は、カートリッジホルダ１２０に設けられた指示ボタン１２４が押された場合に、ホルダカバー１２２を開く旨の指示を受ける。また、カートリッジホルダ１２０に装着されたインクカートリッジ１２５の内部圧力を計測する圧力センサ３２０から、その計測結果も受ける。更に、制御部３４０は、タイマ３３０を備える。タイマ３３０は、制御部３４０から計測を開始する指示を受けると時間を計測して、計測結果を制御部３４０に返す。
【００４２】
上記のような制御部３４０を備えたインクジェット式記録装置１００において、インクカートリッジ１２５を交換すべく指示ボタン１２４が押されると、制御部３４０は、まず、加圧部１２９の動作を停止する。これにより、インクカートリッジ１２５の内部圧力は徐々に大気圧に近づく。この内部圧力の変化は、圧力センサ３２０により計測され、制御部３４０に通知される。
【００４３】
これに対して制御部３４０は、インクカートリッジ１２５の当初の内部圧力と大気圧との差分を複数の段階、例えば５段階に分けて、当該内部圧力が各段階に達する毎にインジケータ１２６の発光素子２３０をひとつずつ順次点灯させる。これにより、インクカートリッジ１２５の内部圧力が大気圧と略同じになると、全ての発光素子２３０が点灯される。また、発光素子２３０が全て点灯されたときに、制御部３４０は、開放機構３１０にホルダカバー１２２を開くべき旨の指示を発生する。なお、ホルダカバー１２２がロック機構を備える場合は、ロックを解除させる。
【００４４】
上記のようなインジケータ１２６の点灯状態の遷移により、指示ボタン１２４を押したユーザに対して、開放機構３１０がホルダカバー１２２を開放させるタイミングを効果的に示唆することができる。これにより、ユーザは、インジケータ１２６が全点灯状態になるまで、ホルダカバー１２２の開放を試みることがなく、また、ホルダカバー１２２が開放された場合は即座にインクカートリッジ１２５の交換作業に着手できる。
【００４５】
なお、上記の説明ではインクカートリッジ１２５の内部圧力の低下に応じて点灯する発光素子２３０を増加させるように制御した。しかしながら、例えば、指示ボタン１２４が押された直後に発光素子２３０を全点灯させて、指示ボタン１２４による指示を受け付けた旨を表示した後に、発光素子２３０をひとつずつ順次消灯させ、全消灯でホルダカバー１２２を開くように制御してもよい。また、インジケータ１２６の表示状態の遷移も、順次点灯または順次消灯の他、輝度の変化、点滅速度の変化等も利用できる。
【００４６】
また、上記の実施形態では、インクカートリッジ１２５の内部圧力を計測して、その変化に応じてインジケータ１２６の点灯状態を遷移させたが、例えば、使用されるインクカートリッジ１２５の内部圧力の変化が予め知られている場合は、単に時間の経過に応じてインジケータ１２６および開放機構３１０を制御してもよい。これにより、圧力センサ３２０による計測結果のデータ処理が省かれ、制御手順を簡素化することができる。
【００４７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４８】
【図１】インクジェット式記録装置１００の斜視図である。
【図２】被記録媒体１９１の内部機構２００における給送経路を示す模式的な断面図である。
【図３】カートリッジホルダ１２０の周囲を拡大して示す図である。
【図４】記録部１４０の内部機構２００を部分的に抜き出して示す図である。
【図５】インジケータ１２６の光学系の構造を示す斜視図である。
【図６】インジケータ１２６の構造を示す断面図である。
【図７】インジケータ１２６の表示を示す図である。
【図８】インジケータ１２６の動作を制御する制御機構３００の構造を模式的に示す図である。
【符号の説明】
【００４９】
１００  インクジェット式記録装置、１１０  筐体、１１１  給送部、１１２  給送駆動ローラ、１１４  給送従動ローラ、１２０  カートリッジホルダ、１２２  ホルダカバー、１２４  指示ボタン、１２５  インクカートリッジ、１２６  インジケータ、１２９  加圧部、１３０  装填部、１３２  ロールカバー、１３６  スピンドル支持部、１３９  クランプ部材、１４０  記録部、１４１  記録部フレーム、１４２  トップカバー、１４３  記録ヘッド、１４４  フロントカバー、１４５  案内部材、１４６  キャリッジ、１４７  フラットチューブ、１４９  フラットケーブル、１５２  プラテンプレート、１５９  排出ダクト、１６０  排出部、１７０  脚部、１８０  操作パネル、１８２  スイッチ、１８４  表示部、１９０  ロール組立体、１９１  被記録媒体、１９２  紙管、１９４  スピンドル部材、２００  内部機構、２１０  カバー、２２０  導波板、２２９  傾斜面、２３０  発光素子、２４０  サブ基板、２５０  リアカバー、２６０  拡散フィルム、３００  制御機構、３１０  開放機構、３２０  圧力センサ、３３０  タイマ、３４０  制御部
【図１】
2009023174.tif 000003
【図２】
2009023174.tif 000004
【図３】
2009023174.tif 000005
【図４】
2009023174.tif 000006
【図５】
2009023174.tif 000007
【図６】
2009023174.tif 000008
【図７】
2009023174.tif 000009
【図８】
2009023174.tif 000010